(57)【要約】【課題】消費電力が小さく、且つ効率的に除塵を行うことができる可搬型除塵装置を提供すること。【解決手段】可搬型の除塵装置１０において、エアポンプ４４と、エアポンプから吐出される圧縮空気を貯留するエアタンク５０と、エアタンクに貯留された圧縮空気を外部に吐出するための吐出口２４と、エアタンクと吐出口との間に配置された常閉電磁弁７０と、エアポンプ及び常閉電磁弁の駆動を制御する制御回路と、制御回路に接続されたショットスイッチ２０と、を備えるようにする。制御回路は、エアタンク５０内の圧力が１６０ｋＰａ以下の場合にエアポンプ４４を作動させ、ショットスイッチ２０の操作に基づきエアタンク５０内の圧縮空気を外部にインパルス状に吐出させるように常閉電磁弁７０を約３０ミリ秒だけ開放し、インパルス状に圧縮空気を吐出した後の２秒間は常閉電磁弁７０の開放を阻止する手段を有する。【選択図】        図４
2015029977.tif 000002
【特許請求の範囲】
【請求項１】
エアポンプと、
該エアポンプから吐出される圧縮空気を貯留するエアタンクと、
該エアタンクに貯留された圧縮空気を外部に吐出するための吐出口と、
前記エアタンクと前記吐出口との間に配置された常閉弁と、
前記エアポンプ及び前記常閉弁の駆動を制御する制御回路と、
該制御回路に接続された外部入力操作部と、を備え、
前記制御回路は、前記エアタンク内の圧力が基準圧力値以下の場合に前記エアポンプを作動させるエアポンプ駆動手段と、前記外部入力操作部の操作に基づき前記エアタンク内の圧縮空気を外部にインパルス状に吐出させるように前記常閉弁を第１の基準時間の間だけ開放する弁開放手段と、前記インパルス状に圧縮空気を吐出した後は第２の基準時間の間、前記常閉弁の開放を阻止するための弁開放阻止手段と、を有する、可搬型除塵装置。
【請求項２】
前記制御回路は、第３の基準時間内における前記エアポンプの駆動時間の合計が第４の基準時間を超えた場合には前記エアポンプが駆動されないようにするエアポンプ駆動阻止手段をさらに有する、請求項１に記載の可搬型除塵装置。
【請求項３】
前記エアポンプ駆動阻止手段により前記エアポンプの駆動が阻止されてから第５の基準時間が経過後に前記エアポンプの駆動を可能にするエアポンプ駆動可能化手段をさらに有する、請求項２に記載の可搬型除塵装置。
【請求項４】
前記エアタンクは、圧縮空気を貯留するタンク室を構成するタンク壁と、該タンク壁の外側に開口し前記エアポンプの圧縮空気出力口に連通される第１外側開口と、該第１外側開口と連通し前記タンク壁の内側で前記タンク室の下部底面から離れた上方位置に開口する第１内側開口と、前記タンク壁の外側に開口し前記常閉弁を介して前記吐出口に連通する第２外側開口と、該第２外側開口と連通し前記タンク壁の内側で前記タンク室の上方位置に下方に向かって開口する第２内側開口と、を有する、請求項１乃至３のいずれか一項に記載の可搬型除塵装置。
【請求項５】
前記エアポンプの前記圧縮空気出力口から前記圧縮空気入口管の前記第１外側開口の間に延びる圧縮空気供給管を有し、該圧縮空気供給管は前記圧縮空気出力口から下方に延びた後に上方に延びて前記圧縮空気入口管の前記第１外側開口に至るように配置されている請求項４に記載の可搬型除塵装置。
【請求項６】
前記制御回路は、前記常閉弁を開いた状態に維持し且つ前記エアポンプを駆動し続けるドレン排出手段を有する、請求項１乃至５の何れか一項に記載の可搬型除塵装置。
【請求項７】
バッテリをさらに備え、前記エアポンプ、前記常閉弁、及び前記制御回路が前記バッテリを電源として駆動するようにされた、請求項１乃至６の何れか一項に記載の可搬型除塵装置。
【請求項８】
前記エアポンプを包囲する振動吸収材と、前記エアポンプを前記振動吸収材とともに収容するエアポンプ収容ケースと、をさらに備える、請求項１乃至７の何れか一項に記載の可搬型除塵装置。
【発明の詳細な説明】
【技術分野】
【０００１】
本発明は、圧縮空気を吐出して塵や埃を除去する可搬型の除塵装置に関する。
【背景技術】
【０００２】
電子機器の回路基板やコネクタ端子等に付着した塵や埃を除去するのに、従来から、スプレー缶から圧縮空気を噴出して行う方法がある。しかしながら、この方法では、多くの機器を取り扱う現場においては大量のスプレー缶を保持しておかなければならないし、またコストも高くなってしまう。このようなスプレー缶に代わるものとして、バッテリ駆動による可搬型の除塵装置がある（特許文献１）。この除塵装置は、バッテリを電源として駆動するモータによって、脈動した圧縮空気を連続的にノズル部から吐出するようになっている。
【先行技術文献】
【特許文献】
【０００３】
【特許文献１】実用新案登録第２５９０２２５号公報
【発明の概要】
【発明が解決しようとする課題】
【０００４】
特許文献１の除塵装置においては、圧縮空気を連続的に吐出するようになっているので、電力を短時間のうちに消耗するため、頻繁なバッテリの交換や充電が必要になる。また、より効率的に除塵を行うためには高い圧力で空気を吐出して大きな圧力変動を与えることが重要であるが、上述のようなコンプレッサによる連続的な吐出では脈動があるとはいっても十分に大きな圧力変動を生じさせるのは難しい。
【０００５】
そこで本発明は、消費電力が小さく、且つ効率的に除塵を行うことができる可搬型除塵装置を提供することを目的とする。
【課題を解決するための手段】
【０００６】
すなわち本発明は、
エアポンプと、
該エアポンプから吐出される圧縮空気を貯留するエアタンクと、
該エアタンクに貯留された圧縮空気を外部に吐出するための吐出口と、
前記エアタンクと前記吐出口との間に配置された常閉弁と、
前記エアポンプ及び前記常閉弁の駆動を制御する制御回路と、
該制御回路に接続された外部入力操作部と、を備え、
前記制御回路は、前記エアタンク内の圧力が基準圧力値以下の場合に前記エアポンプを作動させるエアポンプ駆動手段と、前記外部入力操作部の操作に基づき前記エアタンク内の圧縮空気を外部にインパルス状に吐出させるように前記常閉弁を第１の基準時間の間だけ開放する弁開放手段と、前記インパルス状に圧縮空気を吐出した後は第２の基準時間の間、前記常閉弁の開放を阻止するための弁開放阻止手段と、を有する、可搬型除塵装置を提供する。
【０００７】
当該可搬型除塵装置においては、圧縮空気をインパルス状に吐出するようになっているので、除塵を行う場所において短時間に大きな圧力差を生じさせることができるようになり、効率的な除塵が可能となる。また、インパルス状に圧縮空気を吐出した後の所定の時間は常閉弁が開放せず圧縮空気をすぐには吐出できないようになっているので、無駄に圧縮空気が消費されることが防止されるので装置の消費電力を低減することができる。また小型のエアポンプと小容量のエアタンクとを使用することが可能にもなり、装置全体を小型軽量なものとすることができる。
【０００８】
好ましくは、前記制御回路は、第３の基準時間内における前記エアポンプの駆動時間の合計が第４の基準時間を超えた場合には前記エアポンプが駆動されないようにするエアポンプ駆動阻止手段をさらに有するようにすることができる。
【０００９】
また好ましくは、前記エアポンプ駆動阻止手段により前記エアポンプの駆動が阻止されてから第５の基準時間が経過後に前記エアポンプの駆動を可能にするエアポンプ駆動可能化手段をさらに有するようにすることができる。
【００１０】
エアポンプを連続して駆動し続けるとエアポンプが過熱して故障の原因となることがあるが、エアポンプの駆動時間をこのように監視することによって、エアポンプが異常に過熱する前にエアポンプを休止させて故障を未然に防ぐことが可能となる。
【００１１】
好ましくは、前記エアタンクは、圧縮空気を貯留するタンク室を構成するタンク壁と、該タンク壁の外側に開口し前記エアポンプの圧縮空気出力口に連通される第１外側開口と、該第１外側開口と連通し前記タンク壁の内側で前記タンク室の下部底面から離れた上方位置に開口する第１内側開口と、前記タンク壁の外側に開口し前記常閉弁を介して前記吐出口に連通する第２外側開口と、該第２外側開口と連通し前記タンク壁の内側で前記タンク室の上方位置に下方に向かって開口する第２内側開口と、を有する、ようにすることができる。
【００１２】
エアタンク内には結露した水が溜まることがあるが、エアポンプからの圧縮空気を受け入れる第１内側開口がタンク室の下部底面から離れた上方位置に設けられているので、水はタンク室の下部底面に溜まりエアポンプ側への逆流が防止される。また、圧縮空気のタンク室からの出口となる第２内側開口がタンク室の上方位置に下方に向かって開口しているので、装置全体を上下逆さまになるように傾けた際に第２内側開口が上方を向いてタンク室内に溜まった水を受け入れやすくなる。これにより、水を吐出口から外部に排水することが容易となる。
【００１３】
前記エアポンプの前記圧縮空気出力口から前記圧縮空気入口管の前記第１外側開口の間に延びる圧縮空気供給管を有し、該圧縮空気供給管は前記圧縮空気出力口から下方に延びた後に上方に延びて前記圧縮空気入口管の前記第１外側開口に至るように配置することができる。
【００１４】
このような構成により、タンク室内に溜まった水が第１内側開口からエアポンプ型に逆流した場合でも圧縮空気供給管の途中で一旦止まるようになり、エアポンプまでには到達しにくくなる。
【００１５】
前記制御回路は、前記常閉弁を開いた状態に維持し且つ前記エアポンプを駆動し続けるドレン排出手段を有するようにすることができる。
【００１６】
上述のように当該装置を上下逆さまにしたときに、常閉弁を開いた状態に維持しつつエアポンプを駆動することにより、エアタンク内に溜まった水を圧縮空気によって効率的に排出することが可能となる。
【００１７】
バッテリをさらに備え、前記エアポンプ、前記常閉弁、及び前記制御回路が前記バッテリを電源として駆動するようにすることができる。
【００１８】
バッテリ駆動とすることで外部電源が必要なくなるので、電源が確保できないような場所においても使用可能となる。
【００１９】
好ましくは、前記エアポンプを包囲する振動吸収材と、前記エアポンプを前記振動吸収材とともに収容するエアポンプ収容ケースと、をさらに備えるようにすることができる。
【００２０】
振動吸収材でエアポンプを包囲し、さらにエアポンプ収容ケースに収容するようにすることで、エアポンプの騒音及び振動が外部に伝わるのを抑制することが可能となる。
【００２１】
以下、本発明に係る可搬型除塵装置の実施形態を添付図面に基づき説明する。
【図面の簡単な説明】
【００２２】
【図１】本発明に係る可搬型除塵装置の前方斜視図である。
【図２】図１の可搬型除塵装置の後方斜視図である。
【図３】図１の可搬型除塵装置の装置ハウジングの内部を示す側面図である。
【図４】図３の可搬型除塵装置の常閉電磁弁が閉じている状態での部分断面図である。
【図５】図３の可搬型除塵装置の常閉電磁弁が開いている状態での部分断面図である。
【図６】図５の可搬型除塵装置をドレン排出を行うために傾けた状態の図である。
【図７】回路ブロック図である。
【図８】制御のフローチャートを示す第１の図である。
【図９】制御のフローチャートを示す第２の図である。
【図１０】制御のフローチャートを示す第３の図である。
【発明を実施するための形態】
【００２３】
本発明の実施形態に係る可搬型除塵装置１０は、図１及び図２に示すように、装置ハウジング１２の上部後方に設けられたハンドル１４と、該ハンドル１４の上に設けられたショットスイッチ２０（外部入力操作部）と、装置ハウジング１２の上部前方から上方前方に向かって延びる圧縮空気吐出チューブ２２と、を備えており、後述するように、ショットスイッチ２０を押すことで圧縮空気吐出チューブ２２の先端の吐出口２４からインパルス状の圧縮空気が吐出され、このインパルス状に吐出された圧縮空気を除塵する場所に当てることで塵や埃を吹き飛ばすようになっている。装置ハウジング１２の後面１６には、当該除塵装置１０を起動／停止させるためのメインスイッチ３０と、当該除塵装置１０が起動しているときに点灯する起動表示ＬＥＤ（緑ＬＥＤ）３２と、当該除塵装置１０の各種状態を表示するための赤ＬＥＤ３４−１、緑ＬＥＤ３４−２，及び黄ＬＥＤ３４−３と、外部電源９７（図７）を接続するための電源端子９８と、が設けられている。後述するように当該除塵装置１０は内部にバッテリ３６（図３）を備えていて該バッテリ３６を電源として駆動するようになっているが、電源端子９８に外部電源９７を接続することによって、バッテリ３６の充電を行えるとともに、外部電源９７を駆動電源として駆動することもできるようになっている。装置ハウジング１２の上部と後部にはそれぞれベルトフック取付部１８、１９が設けられていて、これらベルトフック取付部１８、１９に図示しない肩掛け用のベルトを取り付けることもできる。
【００２４】
図３乃至図５に示すように、装置ハウジング１２の内部には、電源としてのバッテリ３６と、メイン回路基板３８及びサブ回路基板３９と、メイン回路基板３８の図で見て奥側でエアポンプ収容ケース４０内にスポンジ状の振動吸収材４２に包まれた状態で配置されたエアポンプ４４と、エアポンプ４４からの圧縮空気を貯留するエアタンク５０と、エアタンク５０と吐出口２４との間に設けられた常閉電磁弁７０（常閉弁）と、を備える。振動及び騒音源となるエアポンプ４４をこのように配置することで、振動及び騒音が外部に伝わるのを防いでいる。なお、エアポンプ収容ケース４０の上部にはエアポンプ４４に吸引される空気を当該エアポンプ収容ケース４０内に導くための吸気口４１が設けられている。
【００２５】
エアタンク５０は、図４及び図５に示すように、エアポンプ４４から供給される圧縮空気を貯留するタンク室５１を構成するタンク壁５２を有し、このタンク壁５２は全体として円筒形状で上部５２−２が円弧状に窪んだ形状を有するようになっている。タンク壁５２の下部５２−３の後方位置には第１内側開口５５と第１外側開口５６とを有する第１継手５４が連結固定されている。この第１継手５４の第１内側開口５５はタンク壁５２の内周面５２−１からさらにタンク室５１内に突出した位置にあり、また第１外側開口５６はタンク壁５２の外側で開口していてエアポンプ４４の圧縮空気出力口４６に繋がるエアチューブ８２（圧縮空気供給管）が接続されている。タンク壁５２の上部５２−２の前方位置には下方に向かってタンク室５１内に開口した第２内側開口５７と、タンク壁５２の外側に開口する第２外側開口５８と、第２内側開口５７から第２外側開口５８にまで上方に向かって延在する出口流路６０とが形成されている。タンク壁５２の下部５２−３の前方位置にはさらに、第３内側開口６３と第３外側開口６４とを有する第２継手６２が連結固定されている。この第２継手６２の第３内側開口６３もタンク室５１の内周面５２−１からさらにタンク室５１内に突出した位置にあり、また第２外側開口５８はタンク室５１の外側で開口していて、メイン回路基板３８上に配置された圧力センサ８４にエアチューブ８５を介して連通されている。エアタンク５０内には結露した水が溜まることがあるが、上述のようにタンク壁５２の下部５２−３に設けられた第１継手５４の第１内側開口５５と第２継手６２の第３内側開口６３とがそれぞれタンク壁５２の内周面５２−１から突出して下部５２−３から上方に離れた位置にあるので、水はタンク室５１内で下部５２−３に溜まりエアポンプ４４側及び圧力センサ８４側には流れないようになっている。また、第１外側開口５５とエアポンプ４４の圧縮空気出力口４６とを繋ぐエアチューブ８２は、圧縮空気出力口４６から一旦下方に延びてエアポンプ収容ケース４０から出た後に上方に折り返して第１外側開口５６にまで至るように配置されているので、仮にエアタンク５０内の水が第１内側開口５５からエアチューブ８２内に浸入したとしても折り返された場所に溜まってエアポンプ４４には到達しないようにもなっている。
【００２６】
エアタンク５０の第２外側開口５８は連結管８６を介して常閉電磁弁７０の入口開口７１に接続されている。この常閉電磁弁７０は、下方に向かって開口した流路開閉口７３を、通常は、プランジャ７４の先端に固定された流路閉止部材７５で閉鎖し、当該常閉電磁弁７０の駆動により入口開口７１と出口開口７２との間の連通するようになっている。具体的には、常閉電磁弁７０は、コイルハウジング７６と、コイルハウジング７６内に配置された円筒状のソレノイドコイル７７と、ソレノイドコイル７７の内側で軸線方向に摺動可能に配置されたプランジャ７４と、プランジャ７４の先端に固定された流路閉止部材７５と、圧縮空気が通る流路を構成する流路構成部７８と、プランジャ７４及び流路閉止部材７５を流路構成部７８に形成された流路開閉口７３に向かって付勢するスプリング７９と、ソレノイドコイル７７によって吸引されたプランジャ７４が当接するプランジャ受部材８０と、を有する。この常閉電磁弁７０は、ソレノイドコイル７７に電圧が印加されていない状態ではスプリング７９の付勢力により流路閉止部材７５が流路開閉口７３に押し付けられているので、入口開口７１と出口開口７２との間が遮断された状態となる（図４）。ソレノイドコイル７７に電圧を印加するとプランジャ７４がスプリング７９の付勢力に抗してソレノイドコイル７７に磁気吸引されるので流路閉止部材７５が流路開閉口７３から離れて、入口開口７１と出口開口７２との間が連通される（図５）。なお当該除塵装置１０で用いている常閉電磁弁７０は、高速応答特性を有し、具体的にはおよそ３０ミリ秒間だけ開放することができる性能を有するものであり、それによってインパルス状の圧縮空気の吐出が可能となる。
【００２７】
常閉電磁弁７０の出口開口７２には、装置ハウジング１２の開口部１３から外部に延在する圧縮空気吐出チューブ２２が連結されている。この圧縮空気吐出チューブ２２は可撓性を有していて、先端の吐出口２４が任意の方向を向くように曲げることができる。
【００２８】
後述するように当該除塵装置１０においては、ショットスイッチ２０を６秒を超えて押し続けることで、常閉電磁弁７０が開放状態となり且つエアポンプ４４が駆動し続ける状態となるようにされている。このとき、当該除塵装置１０を図５の状態から図で見て反時計回りに図６の状態にまで傾けていくと、エアタンク５０の下部５２−３に溜まった水がタンク壁５２の前面部５２−４をつたって第２内側開口５７にまで至る。第２内側開口５７にまで至った水はエアポンプ４４からの圧縮空気によって、出口流路６０、連結管８６、常閉電磁弁７０の流路、及び圧縮空気吐出チューブ２２の中を通って全体として下方に向かって送り出されて、吐出口２４から外部に排出される。当該除塵装置１０は、図６に示すように傾けたときにエアタンク５０から吐出口２４にまで至る流路が全体として下方に向かうようになっているので、内部に溜まった水を外部に排出しやすい。
【００２９】
エアポンプ４４及び常閉電磁弁７０は、バッテリ３６を電源として、メイン回路基板３８上に構成された制御回路８８（図７）によって駆動制御される。図７に示すように、制御回路８８にはバッテリ３６が接続される。制御回路８８のスイッチング制御部９０は、メインスイッチ３０の操作に基づいて起動スイッチング部９１のＯＮ／ＯＦＦを制御する。メインスイッチ３０がＯＮにされると、スイッチング制御部９０は起動スイッチング部９１をＯＮにしてメイン制御部９２を起動させる。メインスイッチ３０がＯＦＦの状態では、起動スイッチング部９１はＯＦＦにされてメイン制御部９２にはバッテリ３６の電力が供給されず、スイッチング制御部９０のみが起動している状態となる。このようにメインスイッチ３０がＯＦＦのときにメイン制御部９２をバッテリ３６から切り離すことによって、比較的に大きな電力を消費するメイン制御部９２による当該除塵装置１０を使用しない間の待機電力をなくし、バッテリ３６の電力の無駄な消費を抑制している。制御回路８８にはバッテリ３６の残量を検出するバッテリ残量検出部９３も設けられている。このバッテリ残量検出部９３は、バッテリ３６の電圧を測定することによりバッテリ３６の残量を検出するようになっており、測定した電圧値をメイン制御部９２に送信するようになっている。また過放電防止回路９４も設けられており、バッテリ３６の電圧が一定値以下に下がった場合にはそれ以上電流が流れないように回路を遮断して、過放電によるバッテリ３６の劣化を防ぐようにしている。エアポンプ制御部９５はメイン制御部９２からの制御信号に基づいてエアポンプ４４の駆動をＯＮ／ＯＦＦする。また電磁弁制御部９６はメイン制御部９２からの制御信号に基づいて常閉電磁弁７０を開閉する。上述のショットスイッチ２０及び圧力センサ８４はメイン制御部９２に接続されていて、メイン制御部９２は、ショットスイッチ２０のＯＮ／ＯＦＦ状態と圧力センサ８４が測定した圧力値に基づいて、エアポンプ４４と常閉電磁弁７０との制御を後述するように適宜実行する。当該除塵装置１０は、上述のように外部電源９７を駆動源として駆動することも可能である。具体的には、商用ＡＣ電源９７−１をＡＣ／ＤＣアダプタ９７−２を介して電源端子９８に接続することにより、当該除塵装置１０は駆動可能となる。制御回路８８に設けられた電源切替制御部９９は、外部電源９７が接続されていないときにはバッテリ３６を駆動源とし、外部電源９７が接続されたときには外部電源９７を駆動源とするように、バッテリ３６と外部電源９７とを切り替える。また、外部電源９７が接続されたときには、メイン制御部９２はバッテリ３６の電圧値がフル充電の状態から下がっていればバッテリ３６を外部電源９７の電力で充電するようにする。充電中は赤ＬＥＤ３４−１が点灯し、充電が完了すると緑ＬＥＤ３４−２が点灯する。
【００３０】
当該除塵装置１０の動作を図８乃至図１０のフローチャートを参照しながら説明する。メインスイッチ３０をＯＮにするとメイン制御部９２が起動して制御が開始し（Ｓ１０）、図８乃至図１０に示す３つのフローチャートで示す制御Ｓ１、Ｓ２、Ｓ３が同時に実行される。図８のフローチャートに示す制御Ｓ１では、メインスイッチ３０がＯＮにされた後（Ｓ１０）、バッテリ残量検出部９３でバッテリ３６の電圧測定を行う（Ｓ１００）。測定された電圧が９Ｖ未満であるかをまず判断し（Ｓ１０２）、９Ｖ以上であれば次に１０Ｖ未満であるかを判断する（Ｓ１０４）。１０Ｖ未満であった場合には、バッテリ３６の充電が必要である旨を示すために赤ＬＥＤ３４−１を点滅させる（Ｓ１０６）。次に直近２０分間（特許請求の範囲における第３の基準時間）のエアポンプ４４の合計の稼働時間が１５分（第４の基準時間）を超えているかを判断する（Ｓ１０８）。１５分以下である場合には、バッテリ３６の電圧測定（Ｓ１００）に戻ってバッテリ３６の電圧の監視を継続する。１５分を超えている場合には、エアポンプ４４が連続して駆動されたことによる発熱によってエアポンプ４４が故障する虞があるため、エアポンプ４４を強制的に休止させるようにエアポンプ休止フラグをＯＮにする（Ｓ１１０）。後に詳述するようにエアポンプ休止フラグがＯＮの状態では、エアポンプ４４は強制的にＯＦＦにされて如何なる操作に対しても起動しない（エアポンプ駆動阻止手段）。次に、エアポンプ４４が休止状態となったことを示すために黄ＬＥＤ３４−３を点滅させ（Ｓ１１２）、エアポンプ休止フラグがＯＮになってからの時間が１５分（第５の基準時間）を超えたかどうかを判断する（Ｓ１１４）。１５分以下であった場合にはエアポンプ休止フラグをＯＮにしたままバッテリ電圧測定（Ｓ１００）に戻る。１５分を超えていた場合には、エアポンプ４４は十分に休止して冷却されたと判断してエアポンプ休止フラグをＯＦＦにする（Ｓ１１６）。これにより、エアポンプ４４は再び駆動可能な状態となる（エアポンプ駆動可能化手段）。Ｓ１０２においてバッテリ３６の電圧が９Ｖより小さかった場合には、当該除塵装置１０をこのまま駆動し続けるにはバッテリ３６の電圧が低すぎると判断して、赤ＬＥＤ３４−１を３秒間点滅させて警告した後に（Ｓ１２０）、メイン制御部９２がスイッチング制御部９０に命令して起動スイッチング部９１をＯＦＦにして（Ｓ１２２）、後に説明する図９及び図１０に示す制御Ｓ２、Ｓ３も含めて全ての制御Ｓ１、Ｓ２、Ｓ３を終了させる（Ｓ１２４）。なお、エアポンプ休止フラグがＯＮの状態では、メインスイッチ３０を操作しても起動スイッチング部９１はＯＦＦにならずに制御Ｓ１、Ｓ２、Ｓ３は継続され、エアポンプ休止フラグがＯＮになってからの時間を監視し続けて、エアポンプ４４がすぐには再稼働できないようにしている。ただし、バッテリ３６の電圧が９Ｖよりも小さくなって起動スイッチング部９１がＯＦＦにされた場合には、全ての制御Ｓ１、Ｓ２、Ｓ３が終了するため、バッテリ３６を交換もしくは充電して当該除塵装置１０をすぐに再起動した際にはエアポンプ４４は過熱しているにも関わらず稼働されることになってしまう。そのような状況を防ぐために、メイン基板３８にボタン電池等の電源を設けて、起動スイッチング部９１がＯＦＦにされた後も、直近２０分間のエアポンプ４４の稼働時間及びエアポンプ休止フラグがＯＮになっている時間のカウントを継続して過熱した状態のエアポンプ４４が稼働しないようにしてもよい。
【００３１】
図９のフローチャートに示す制御Ｓ２では、メインスイッチ３０がＯＮにされた後（Ｓ１０）、エアポンプ休止フラグがＯＮであるかを判断する（Ｓ２００）。エアポンプ休止フラグがＯＦＦであるときにはエアポンプ４４の駆動が可能な状態であると判断し、エアタンク５０内の圧力を圧力センサ８４で測定する（Ｓ２０２）。測定した圧力が１６０ｋＰａよりも大きいかを判断し（Ｓ２０４）、１６０ｋＰａ以下であった場合にはエアタンク５０内の圧力が低すぎるためエアポンプ制御部９５によってエアポンプ４４をＯＮにしてエアタンク５０に圧縮空気を供給する（エアポンプ駆動手段）（Ｓ２０６）。エアタンク５０内の圧力が１６０ｋＰａよりも大きくなると次に２００ｋＰａよりも大きいかを判断する（Ｓ２０８）。２００ｋＰａ以下である場合には、エアポンプ４４のＯＮ／ＯＦＦを切り替えることなくエアポンプ休止フラグを判断するステップ（Ｓ２００）に戻る。圧力が２００ｋＰａよりも大きくなるとエアポンプ４４はエアポンプ制御部９５によってＯＦＦにされる（Ｓ２１０）。すなわち当該除塵装置１０においては、エアタンク５０内の圧力が常に１６０ｋＰａから２００ｋＰａを僅かに超えた圧力の間に維持される。エアポンプ休止フラグがＯＮであった場合には（Ｓ２００）、エアタンク５０の圧力値に関係なくエアポンプ４４は強制的にＯＦＦになる（Ｓ２１０）。
【００３２】
図１０のフローチャートに示す制御Ｓ３では、メインスイッチ３０がＯＮにされた後（Ｓ１０）、エアポンプ休止フラグがＯＮであるかの判断（Ｓ３００）、後述するドレン排出フラグがＯＮであるかの判断（Ｓ３０２）、及び後述する電磁弁一次停止フラグがＯＮであるかの判断（Ｓ３０４）をそれぞれ行う。いずれのフラグもＯＮでない場合には、次にショットスイッチ２０がＯＮであるかの判断を行う（Ｓ３０６）。ショットスイッチ２０がＯＮであった場合にはショットスイッチ２０が押され続けてＯＮの状態が６秒を超えて続いているかを判断する（Ｓ３０８）。６秒以下であった場合には、吐出口２４から除塵を行うためのインパルス状の圧縮空気を吐出する（Ｓ３１０）。具体的には、電磁弁制御部９６によって常閉電磁弁７０を３０ミリ秒（第１の基準時間）だけ開けるように制御することによりエアタンク５０内に貯留されている圧縮空気をインパルス状に吐出する（弁開放手段）。その後に電磁弁一時停止フラグをＯＮにして（Ｓ３１２）、エアポンプ休止フラグの監視ステップ（Ｓ３００）に戻る。なお、インパルス状の圧縮空気を吐出するとエアタンク５０内の圧力は２００ｋＰａから１５０ｋＰａ程度にまで低下する。すなわち、エアタンク５０内の圧力は１６０ｋＰａ以下となるため、図９の制御Ｓ２におけるＳ２０４において圧力が１６０ｋＰａ以下であると判断されてエアポンプ４４がＯＮにされ（Ｓ２０６）、その後２００ｋＰａを超えるまでエアポンプ４４は駆動される。当該除塵装置１０においてエアタンク５０の圧力を１５０ｋＰａから２００ｋＰａにまで上げるためにはおよそ２秒間エアポンプ４４を駆動させる必要がある。Ｓ３１２において電磁弁一時停止フラグがＯＮにされると、Ｓ３０４において電磁弁一時停止フラグがＯＮであると判断され、次に電磁弁一時停止フラグがＯＮの状態が２秒（第２の基準時間）を超えたかどうか判断する（Ｓ３２０）。２秒を超えていた場合には、電磁弁一時停止フラグをＯＦＦにする（Ｓ３２２）。すなわち、制御回路８８は、インパルス状に圧縮空気を吐出した後の２秒間は、電磁弁一時停止フラグをＯＮにしてショットスイッチ２０の操作を無効とし、２秒を超えると電磁弁一時停止フラグをＯＦＦにして再びショットスイッチ２０の操作を有効にする（弁開放阻止手段）。ショットスイッチ２０を６秒を超えて押し続けると、ショットスイッチ２０のＯＮ時間が６秒を超えたと判断され（Ｓ３０８）、常閉電磁弁７０を開放状態に維持し（Ｓ３３０）且つエアポンプ４４をＯＮにして（Ｓ３３２）、ドレン排出フラグをＯＮにする（Ｓ３３４）（ドレン排出手段）。この状態ではエアポンプ４４からの圧縮空気はエアタンク５０、常閉電磁弁７０、及び圧縮空気吐出チューブ２２を通って吐出口２４から連続して吐出され続ける。これにより内部の水分を外部に追い出すことができ、特に図６に示す状態にまで当該除塵装置１０を傾けることでエアタンク５０内に溜まった水を効率的に外部に排出することが可能となる。Ｓ３３４でドレン排出フラグがＯＮにされると、Ｓ３０２においてドレン排出フラグがＯＮであると判断して、次にドレン排出フラグがＯＮになっている時間が２０分を超えたかを判断する（Ｓ３４０）。２０分を超えていない場合にはショットスイッチ２０がＯＮになっているかを判断する（Ｓ３４２）。ドレン排出フラグがＯＮになっている時間が２０分を超えたか、又はショットスイッチ２０がＯＮになっている場合には、常閉電磁弁７０を閉じ（Ｓ３４４）、エアポンプ４４をＯＦＦにするとともに（Ｓ３４６）、ドレン排出フラグをＯＦＦにする（Ｓ３４８）。図８の制御Ｓ１においてエアポンプ休止フラグがＯＮにされていたときには、Ｓ３００においてエアポンプ休止フラグがＯＮであると判断して、常閉電磁弁７０を閉じた状態にする（Ｓ３５０）。エアポンプ休止フラグがＯＮである間は、常閉電磁弁７０は閉じた状態に維持される。
【００３３】
上記実施形態における、エアタンク５０の圧力設定値や第１乃至第５の基準時間は、エアポンプの性能やエアタンクの大きさ等によって適宜変更してもよい。また、上記実施形態ではバッテリ３６により駆動されることを前提に説明をしているが、必ずしもバッテリを備えている必要はなく外部電源９７に接続して使用するようにしてもよい。外部電源９７を使用している場合には、電圧の降下を考慮する必要はないため制御Ｓ１におけるＳ１００−Ｓ１０６及びＳ１２０−Ｓ１２４のステップを実行しないようにしてもよい。
【符号の説明】
【００３４】
可搬型除塵装置１０；  装置ハウジング１２；  開口部１３；  ハンドル１４；  後面１６；  ベルトフック取付部１８、１９；  ショットスイッチ（外部入力操作部）２０；  圧縮空気吐出チューブ２２；  吐出口２４；  メインスイッチ３０；  起動表示ＬＥＤ（緑ＬＥＤ）３２；  赤ＬＥＤ３４−１；  緑ＬＥＤ３４−２；  黄ＬＥＤ３４−３；  バッテリ３６；  メイン回路基板３８；  サブ回路基板３９；  エアポンプ収容ケース４０；吸気口４１；  振動吸収材４２；  エアポンプ４４；  圧縮空気出力口４６；  エアタンク５０；  タンク室５１；  タンク壁５２；  内周面５２−１；  上部５２−２；  下部５２−３；  前面部５２−４；  第１継手５４；  第１内側開口５５；  第１外側開口５６；  第２内側開口５７；  第２外側開口５８；  出口流路６０；  第２継手６２；  第３内側開口６３；  第３外側開口６４；  常閉電磁弁（常閉弁）７０；  入口開口７１；  出口開口７２；  流路開閉口７３；  プランジャ７４；  流路閉止部材７５；  コイルハウジング７６；  ソレノイドコイル７７；  流路構成部７８；  スプリング７９；  プランジャ受部材８０；  エアチューブ８２（圧縮空気供給管）；  圧力センサ８４；  エアチューブ８５；  連結管８６；  制御回路８８；  スイッチング制御部９０；  起動スイッチング部９１；  メイン制御部９２；  バッテリ残量検出部９３；  過放電防止回路９４；  エアポンプ制御部９５；  電磁弁制御部９６；  外部電源９７；  商用ＡＣ電源９７−１；  ＡＣ／ＤＣアダプタ９７−２；  電源端子９８；  電源切替制御部９９
【図１】
2015029977.tif 000003
【図２】
2015029977.tif 000004
【図３】
2015029977.tif 000005
【図４】
2015029977.tif 000006
【図５】
2015029977.tif 000007
【図６】
2015029977.tif 000008
【図７】
2015029977.tif 000009
【図８】
2015029977.tif 000010
【図９】
2015029977.tif 000011
【図１０】
2015029977.tif 000012